【手続補正書】
【提出日】平成20年5月1日(2008.5.1)
【手続補正１】
【補正対象書類名】明細書
【補正対象項目名】特許請求の範囲
【補正方法】変更
【補正の内容】
【特許請求の範囲】
【請求項１】  複数種の異なる物質を固相支持体上に含んでなり、かつ、各々の異なる物質が固相支持体上の異なる位置に存在する位置アドレス可能なアレイであって、複数種の異なる物質が１cm2当たり少なくとも100種の異なる物質から構成され、かつ、複数種の異なる物質が、哺乳動物、酵母またはショウジョウバエ(Drosophila)の61種の精製された活性キナーゼまたはそれらの機能性キナーゼドメインを含む、上記アレイ。
【請求項２】  複数種の異なる物質が、１cm2当たり100〜1,000種の異なる物質から構成される、請求項１に記載のアレイ。
【請求項３】  複数種の異なる物質が、１cm2当たり1,000〜10,000種の異なる物質から構成される、請求項１に記載のアレイ。
【請求項４】  複数種の異なる物質が、１cm2当たり10,000〜100,000種の異なる物質から構成される、請求項１に記載のアレイ。
【請求項５】  複数種の異なる物質が、１cm2当たり100,000〜1,000,000種の異なる物質から構成される、請求項１に記載のアレイ。
【請求項６】  複数種の異なる物質が、１cm2当たり1,000,000〜10,000,000種の異なる物質から構成される、請求項１に記載のアレイ。
【請求項７】  複数種の異なる物質が、１cm2当たり10,000,000〜25,000,000種の異なる物質から構成される、請求項１に記載のアレイ。
【請求項８】  複数種の異なる物質が、１cm2当たり少なくとも25,000,000種の異なる物質から構成される、請求項１に記載のアレイ。
【請求項９】  複数種の異なる物質が、１cm2当たり少なくとも10,000,000,000種の異なる物質から構成される、請求項１に記載のアレイ。
【請求項１０】  複数種の異なる物質が、１cm2当たり少なくとも10,000,000,000,000種の異なる物質から構成される、請求項１に記載のアレイ。
【請求項１１】  固相支持体がスライドガラスである、請求項１に記載のアレイ。
【請求項１２】  各々の異なる物質が、固相支持体の表面の異なるウェル内に存在する、請求項１に記載のアレイ。
【請求項１３】  異なるウェル内の各々の異なる物質が、固相支持体の表面に結合されている、請求項１２に記載のアレイ。
【請求項１４】  異なるウェル内の各々の異なる物質が、固相支持体の表面に結合されていない、請求項１２に記載のアレイ。
【請求項１５】  異なるウェル内の各々の異なる物質が、溶液の状態である、請求項１２に記載のアレイ。
【請求項１６】  各ウェルが、タンパク質または分子の生物学的活性をアッセイするための試薬を含む、請求項１２に記載のアレイ。
【請求項１７】  複数種の異なる物質を固相支持体上に含んでなり、かつ、各々の異なる物質が固相支持体上の異なる位置に存在する位置アドレス可能なアレイであって、固相支持体が、セラミック、非晶質炭化ケイ素、不定形酸化物、ポリイミド、ポリメチルメタクリレート、ポリスチレンおよびシリコーンエラストマーからなる群から選ばれ、かつ、複数種の異なる物質が、哺乳動物、酵母またはショウジョウバエの61種の精製された活性キナーゼまたはそれらの機能性キナーゼドメインを含む、上記アレイ。
【請求項１８】  固相支持体がシリコーンエラストマーである、請求項１７に記載のアレイ。
【請求項１９】  固相支持体がポリジメチルシロキサンである、請求項１８に記載のアレイ。
【請求項２０】  複数種の異なる物質を固相支持体上に含んでなり、かつ、各々の異なる物質が固相支持体上の異なる位置に存在する位置アドレス可能なアレイであって、複数種の異なる物質が、固相支持体に3-グリシドオキシプロピルトリメトキシシランリンカーを介して結合されており、かつ、複数種の異なる物質が、哺乳動物、酵母またはショウジョウバエの61種の精製された活性キナーゼまたはそれらの機能性キナーゼドメインを含む、上記アレイ。
【請求項２１】  固相支持体の表面に複数のウェルを備えたアレイであって、ウェルの密度が少なくとも100ウェル／cm2である、上記アレイ。
【請求項２２】  ウェルの密度が100〜1,000ウェル／cm2である、請求項２１に記載のアレイ。
【請求項２３】  ウェルの密度が1,000〜10,000ウェル／cm2である、請求項２１に記載のアレイ。
【請求項２４】  ウェルの密度が10,000〜100,000ウェル／cm2である、請求項２１に記載のアレイ。
【請求項２５】  ウェルの密度が100,000〜1,000,000ウェル／cm2である、請求項２１に記載のアレイ。
【請求項２６】  ウェルの密度が1,000,000〜10,000,000ウェル／cm2である、請求項２１に記載のアレイ。
【請求項２７】  ウェルの密度が10,000,000〜25,000,000ウェル／cm2である、請求項２１に記載のアレイ。
【請求項２８】  ウェルの密度が少なくとも25,000,000ウェル／cm2である、請求項２１に記載のアレイ。
【請求項２９】  ウェルの密度が少なくとも10,000,000,000ウェル／cm2である、請求項２１に記載のアレイ。
【請求項３０】  ウェルの密度が少なくとも10,000,000,000,000ウェル／cm2である、請求項２１に記載のアレイ。
【請求項３１】  タンパク質、該タンパク質の機能性ドメインを含む分子、細胞全体、およびタンパク質含有細胞性物質からなる群から選ばれる複数種の異なる物質がウェル内に存在し、かつ、各々の異なる物質が異なるウェル内に存在する、請求項２１に記載のアレイ。
【請求項３２】  異なるウェル内の各々の異なる物質が固相支持体の表面に結合されている、請求項３１に記載のアレイ。
【請求項３３】  異なるウェル内の各々の異なる物質が、共有結合により固相支持体の表面に結合されている、請求項３２に記載のアレイ。
【請求項３４】  異なるウェル内の各々の異なる物質が、リンカーを介して共有結合により固相支持体の表面に結合されている、請求項３３に記載のアレイ。
【請求項３５】  リンカーが3-グリシドオキシプロピルトリメトキシシランである、請求項３４に記載のアレイ。
【請求項３６】  異なるウェル内の各々の異なる物質が、非共有結合により固相支持体の表面に結合されている、請求項３１に記載のアレイ。
【請求項３７】  異なるウェル内の各々の異なる物質が、固相支持体の表面に結合されていない、請求項３１に記載のアレイ。
【請求項３８】  異なるウェル内の各々の異なる物質が溶液の状態である、請求項３１に記載のアレイ。
【請求項３９】  各ウェルが、タンパク質または分子の生物学的活性をアッセイするための試薬を含んでいる、請求項２１に記載のアレイ。
【請求項４０】  ウェルの容積が１pl〜５μlである、請求項２１に記載のアレイ。
【請求項４１】  ウェルの容積が１nl〜１μlである、請求項２１に記載のアレイ。
【請求項４２】  ウェルの容積が100nl〜300nlである、請求項２１に記載のアレイ。
【請求項４３】  ウェルの底部が四角形、丸形、Ｖ字形またはＵ字形である、請求項２１に記載のアレイ。
【請求項４４】  固相支持体の表面に複数のウェルを備えた位置アドレス可能なアレイの製造方法であって、
固相表面に100ウェル／cm2を上回る密度のウェルが形成されるように設計された微細加工鋳型からアレイを成型する工程
を含む上記方法。
【請求項４５】  固相支持体の表面に複数のウェルを備えた位置アドレス可能なアレイの製造方法であって、
（ａ）固相表面に100ウェル／cm2を上回る密度のウェルが形成されるように設計された微細加工鋳型から二次鋳型を成型する工程、および
（ｂ）その二次鋳型から少なくとも１つのアレイを成型する工程
を含む上記方法。
【請求項４６】  アレイの成型工程が更に、
（ａ）前記鋳型を液体成型材料で被覆する工程、および
（ｂ）成型物が固体になるまで、その成型材料を硬化させる工程
を含む、請求項４４または４５に記載の方法。
【請求項４７】  ウェルの密度が100〜1,000ウェル／cm2である、請求項４４〜４６のいずれか１項に記載の方法。
【請求項４８】  ウェルの密度が1,000〜10,000ウェル／cm2である、請求項４４〜４６のいずれか１項に記載の方法。
【請求項４９】  ウェルの密度が10,000〜100,000ウェル／cm2である、請求項４４〜４６のいずれか１項に記載の方法。
【請求項５０】  ウェルの密度が100,000〜1,000,000ウェル／cm2である、請求項４４〜４６のいずれか１項に記載の方法。
【請求項５１】  ウェルの密度が1,000,000〜10,000,000ウェル／cm2である、請求項４４〜４６のいずれか１項に記載の方法。
【請求項５２】  ウェルの密度が10,000,000〜25,000,000ウェル／cm2である、請求項４４〜４６のいずれか１項に記載の方法。
【請求項５３】  ウェルの密度が25,000,000ウェル／cm2を上回る、請求項４４〜４６のいずれか１項に記載の方法。
【請求項５４】  ウェルの密度が10,000,000,000ウェル／cm2を上回る、請求項４４〜４６のいずれか１項に記載の方法。
【請求項５５】  ウェルの密度が10,000,000,000,000ウェル／cm2を上回る、請求項４４〜４６のいずれか１項に記載の方法。
【請求項５６】  アレイがシリコーンエラストマーから成型される、請求項４４または４５に記載の方法。
【請求項５７】  アレイがポリジメチルシロキサンから成型される、請求項４４または４５に記載の方法。
【請求項５８】  液体成型材料がシリコーンエラストマーである、請求項４６に記載の方法。
【請求項５９】  液体成型材料がポリジメチルシロキサンである、請求項４６に記載の方法。
【請求項６０】  タンパク質、該タンパク質の機能性ドメインを含む分子、細胞全体、およびタンパク質含有細胞性物質からなる群から選ばれる複数種の異なる物質を固相支持体上に含んでなり、かつ、各々の異なる物質が固相支持体上の異なる位置に存在し、複数種の異なる物質が１cm2当たり少なくとも100種の異なる物質からなる位置アドレス可能なアレイの使用方法であって、
（ａ）プローブを上記アレイと接触させる工程、および
（ｂ）タンパク質／プローブ相互作用を検出する工程
を含む上記方法。
【請求項６１】  複数種の異なるタンパク質または該タンパク質の機能性ドメインを含む分子を固相支持体上に含んでなり、かつ、各々の異なるタンパク質または分子が固相支持体上の異なる位置に存在し、複数種のタンパク質または分子が、生物のゲノム中の同タイプの生物学的活性を有する全ての発現タンパク質の少なくとも50％から構成される位置アドレス可能なアレイの使用方法であって、
（ａ）プローブを上記アレイと接触させる工程、および
（ｂ）タンパク質／プローブ相互作用を検出する工程
を含む上記方法。
【請求項６２】  タンパク質、該タンパク質の機能性ドメインを含む分子、細胞全体、およびタンパク質含有細胞性物質からなる群から選ばれる複数種の異なる物質を固相支持体上に含んでなり、かつ、各々の異なる物質が固相支持体上の異なる位置に存在し、固相支持体が、セラミックス、非晶質炭化ケイ素、不定形酸化物、ポリイミド、ポリメチルメタクリレート、ポリスチレンおよびシリコーンエラストマーからなる群から選ばれる、位置アドレス可能なアレイの使用方法であって、
（ａ）プローブを上記アレイと接触させる工程、および
（ｂ）タンパク質／プローブ相互作用を検出する工程
を含む上記方法。
【請求項６３】  タンパク質、該タンパク質の機能性ドメインを含む分子、細胞全体、およびタンパク質含有細胞性物質からなる群から選ばれる複数種の異なる物質を固相支持体上に含んでなり、かつ、各々の異なる物質が固相支持体上の異なる位置に存在し、複数種の異なる物質が固相支持体に3-グリシドオキシプロピルトリメトキシシランリンカーを介して結合されている位置アドレス可能なアレイの使用方法であって、
（ａ）プローブを上記アレイと接触させる工程、および
（ｂ）タンパク質／プローブ相互作用を検出する工程
を含む上記方法。
【請求項６４】  プローブが酵素の基質またはインヒビターである、請求項６０〜６３のいずれか１項に記載の方法。
【請求項６５】  プローブが、キナーゼ、ホスファターゼ、プロテアーゼ、グリコシダーゼ、アセチラーゼ、および他の官能基転移酵素からなる群から選ばれる酵素の基質またはインヒビターである、請求項６４に記載の方法。
【請求項６６】  プローブが、タンパク質、オリゴヌクレオチド、ポリヌクレオチド、DNA、RNA、小分子基質、薬剤候補、受容体、抗原、ステロイド、リン脂質、抗体、グルタチオン、免疫グロブリンのドメイン、マルトース、ニッケル、ジヒドロトリプシン、およびビオチンからなる群から選ばれる、請求項６０〜６３のいずれか１項に記載の方法。
【請求項６７】  タンパク質／プローブ相互作用の検出が質量分析による、請求項６０〜６３のいずれか１項に記載の方法。
【請求項６８】  タンパク質／プローブ相互作用の検出が、化学発光法、蛍光法、放射性標識法および原子間力顕微鏡法からなる群から選ばれる方法による、請求項６０〜６３のいずれか１項に記載の方法。
【請求項６９】  位置アドレス可能なアレイの使用方法であって、
（ａ）タンパク質、該タンパク質の機能性ドメインを含む分子、細胞全体、およびタンパク質含有細胞性物質からなる群から選ばれる複数種の異なる物質を固相支持体上に固着させる工程であって、但し、各々の異なる物質が固相支持体上の異なる位置に存在し、複数種の異なる物質が１cm2当たり少なくとも100種の異なる物質から構成される、該工程
（ｂ）プローブを上記アレイと接触させる工程、および
（ｃ）タンパク質／プローブ相互作用を検出する工程
を含む上記方法。
【請求項７０】  固相支持体がスライドガラスである、請求項６９に記載の方法。
【請求項７１】  位置アドレス可能なアレイの使用方法であって、
（ａ）複数種の異なるタンパク質または該タンパク質の機能性ドメインを含む分子を固相支持体上に固着させる工程であって、但し、各々の異なるタンパク質または分子が固相支持体上の異なる位置に存在し、複数種のタンパク質または分子が生物のゲノム中の同タイプの生物学的活性を有する全ての発現タンパク質の少なくとも50％から構成される、該工程
（ｂ）プローブを上記アレイと接触させる工程、および
（ｃ）タンパク質／プローブ相互作用を検出する工程
を含む上記方法。
【請求項７２】  固相支持体がスライドガラスである、請求項７１に記載の方法。
【請求項７３】  位置アドレス可能なアレイの製造方法であって、
（ａ）固相支持体上に100ウェル／cm2を上回る密度のウェルが形成されるように設計された微細加工鋳型からアレイを成型する工程、および
（ｂ）ウェル内で、タンパク質、該タンパク質の機能性ドメインを含む分子、細胞全体、およびタンパク質含有細胞性物質からなる群から選ばれる複数種の異なる物質を固相支持体上に固着させる工程であって、但し、各々の異なる物質が固相支持体上の異なるウェル内に存在する、該工程
を含む上記方法。
【請求項７４】  位置アドレス可能なアレイの製造方法であって、
（ａ）固相支持体上に100ウェル／cm2を上回る密度のウェルが形成されるように設計された微細加工鋳型から二次鋳型を成型する工程、
（ｂ）その二次鋳型から少なくとも１つのアレイを成型する工程、および
（ｃ）ウェル内で、タンパク質、該タンパク質の機能性ドメインを含む分子、細胞全体、およびタンパク質含有細胞性物質からなる群から選ばれる複数種の異なる物質を固相支持体上に固着させる工程であって、但し、各々の異なる物質が固相支持体上の異なるウェル内に存在する、該工程
を含む上記方法。
【請求項７５】  リンパ球を活性化する抗原の同定方法であって、
（ａ）位置アドレス可能なアレイを複数種のリンパ球と接触させる工程であって、但し、該アレイが複数種の可能性のある抗原を固相支持体上に含んでなり、各々の異なる抗原が固相支持体上の異なる位置に存在し、異なる抗原の密度が１cm2当たり少なくとも100種の異なる抗原である該工程、および
（ｂ）リンパ球の活性化が起こっている固相支持体上での位置を検出する工程
を含む上記方法。
【請求項７６】  リンパ球が患者に由来する、請求項７５に記載の方法。
【請求項７７】  抗原が、病原体の抗原、自家組織の抗原、組織特異的抗原、疾患特異的抗原、および合成抗原からなる群から選ばれる、請求項７５に記載の方法。
【請求項７８】  リンパ球の活性化が、抗体合成を測定することにより検出される、請求項７５に記載の方法。
【請求項７９】  リンパ球の活性化が、リンパ球による3Ｈ-チミジンの取込みを測定することにより検出される、請求項７５に記載の方法。
【請求項８０】  リンパ球の活性化が、リンパ球の活性化により誘導または抑制される細胞表面分子の発現を測定することにより検出される、請求項７５に記載の方法。
【請求項８１】  リンパ球の活性化が、リンパ球の活性化により誘導される分泌型分子の発現を測定することにより検出される、請求項７５に記載の方法。
【請求項８２】  リンパ球の活性化が、51クロムの放出を測定することにより検出される、請求項７５に記載の方法。
【請求項８３】  抗体調製物の特異性の判定方法であって、
（ａ）位置アドレス可能なアレイを抗体調製物と接触させる工程であって、但し、該アレイが複数種の可能性のある抗原を固相支持体上に含んでなり、各々の異なる抗原が固相支持体上の異なる位置に存在し、異なる抗原の密度が１cm2当たり少なくとも100種の異なる抗原である該工程、および
（ｂ）該抗体調製物中の抗体による結合が起こっている固相支持体上での位置を検出する工程
を含む上記方法。
【請求項８４】  抗体調製物が、抗血清、モノクローナル抗体またはポリクローナル抗体を含む、請求項８３に記載の方法。
【請求項８５】  抗体調製物が、Fab断片、キメラ抗体、一本鎖抗体、ヒト化抗体または合成抗体を含む、請求項８３に記載の方法。
【請求項８６】  抗体の結合が、前記抗体調製物中の抗体に結合する蛍光標識した二次抗体に前記アレイを接触させ、未結合の二次抗体を除去し、該アレイ上の結合標識を検出することにより検出される、請求項８３に記載の方法。
【請求項８７】  マイトジェンの同定方法であって、
（ａ）位置アドレス可能なアレイを細胞の集団と接触させる工程であって、但し、該アレイがタンパク質、該タンパク質の機能性ドメインを含む分子、細胞全体、およびタンパク質含有細胞性物質からなる群から選ばれる複数種の異なる物質を固相支持体上に含んでなり、各々の異なる物質が固相支持体上の異なる位置に存在し、異なる物質の密度が１cm2当たり少なくとも100種の異なる物質である該工程、および
（ｂ）細胞内でマイトジェン活性が誘導されている固相支持体上での位置を検出する工程
を含む上記方法。
【請求項８８】  下記（ａ）および（ｂ）を含むキット。
（ａ）固相支持体の表面に複数のウェルを備えた１以上のアレイであって、但し、該ウェルの密度が少なくとも100ウェル／cm2である該アレイ、および
（ｂ）１つ以上の容器中の、１種以上のプローブ、試薬または他の分子
【請求項８９】  １つ以上の容器が、タンパク質の生物学的活性をアッセイするのに有用な試薬を含む、請求項８８に記載のキット。
【請求項９０】  １つ以上の容器が、プローブとタンパク質との間の相互作用をアッセイするのに有用な試薬を含む、請求項８８に記載のキット。
【請求項９１】  試薬が溶液の状態である、請求項８９または９０に記載のキット。
【請求項９２】  試薬が固体の状態である、請求項８９または９０に記載のキット。
【請求項９３】  試薬が前記アレイの各ウェル内に収容されている、請求項８９または９０に記載のキット。
【請求項９４】  試薬が前記アレイの選択されたウェル内に収容されている、請求項８９または９０に記載のキット。
【請求項９５】  １つ以上の容器が、タンパク質または分子の生物学的活性をアッセイするための溶液状の反応混合物を収容している、請求項８８に記載のキット。
【請求項９６】  １つ以上の容器が、前記生物学的活性をアッセイするための１種以上の基質を収容している、請求項９５に記載のキット。
【請求項９７】  下記（ａ）および（ｂ）を含むキット。
（ａ）タンパク質、該タンパク質の機能性ドメインを含む分子、細胞全体、およびタンパク質含有細胞性物質からなる群から選ばれる複数種の異なる物質を固相支持体上に含んでなり、かつ、各々の異なる物質が固相支持体上の異なる位置に存在し、複数種の異なる物質が１cm2当たり少なくとも100種の異なる物質から構成される、１つ以上の位置アドレス可能なアレイ、および
（ｂ）１つ以上の容器中の、１種以上のプローブ、試薬または他の分子
【請求項９８】  前記物質が、固相支持体上のウェルの表面に結合されている、請求項９７に記載のキット。
【請求項９９】  前記物質がタンパク質であり、かつ該タンパク質が、生物において同タイプの生物学的活性を有する全ての発現タンパク質の少なくとも50％である、請求項９８に記載のキット。
【請求項１００】  前記物質がタンパク質または該タンパク質の機能性ドメインを含む分子であり、かつ、該タンパク質または該分子が、キナーゼ、ホスファターゼ、プロテアーゼ、グリコシダーゼ、アセチラーゼ、核酸結合タンパク質およびホルモン結合タンパク質からなる群から選ばれる、請求項９９に記載のキット。
【請求項１０１】 固相支持体が、セラミック、非晶質炭化ケイ素、不定形酸化物、ポリイミド、ポリメチルメタクリレート、ポリスチレンおよびシリコーンエラストマーからなる群から選ばれる、請求項９７に記載のキット。
【請求項１０２】 固相支持体がシリコーンエラストマーである、請求項１０１に記載のキット。
【請求項１０３】 固相支持体がポリジメチルシロキサンである、請求項１０１に記載のキット。
【請求項１０４】 複数種の異なる物質が、固相支持体に3-グリシドオキシプロピルトリメトキシシランリンカーを介して結合されている、請求項９７に記載のキット。
【請求項１０５】 ウェルの密度が100〜1,000ウェル／cm2である、請求項８８に記載のキット。
【請求項１０６】 ウェルの密度が1000〜10,000ウェル／cm2である、請求項８８に記載のキット。
【請求項１０７】 ウェルの密度が10,000〜100,000ウェル／cm2である、請求項８８に記載のキット。
【請求項１０８】 ウェルの密度が100,000〜1,000,000ウェル／cm2である、請求項８８に記載のキット。
【請求項１０９】 ウェルの密度が1,000,000〜10,000,000ウェル／cm2である、請求項８８に記載のキット。
【請求項１１０】 ウェルの密度が10,000,000〜25,000,000ウェル／cm2である、請求項８８に記載のキット。
【請求項１１１】 異なるウェル内の各々の異なる物質が、固相支持体の表面に結合されている、請求項９７に記載のキット。
【請求項１１２】 異なるウェル内の各々の異なる物質が、共有結合により固相支持体の表面に結合されている、請求項１１１に記載のキット。
【請求項１１３】 異なるウェル内の各々の異なる物質が、リンカーを介して共有結合により固相支持体の表面に結合されている、請求項１１２に記載のキット。
【請求項１１４】 リンカーが、3-グリシドオキシプロピルトリメトキシシランである、請求項１１３に記載のキット。
【請求項１１５】 異なるウェル内の各々の異なる物質が、非共有結合により固相支持体の表面に結合されている、請求項１１１に記載のキット。
【請求項１１６】 異なるウェル内の各々の異なる物質が、固相支持体の表面に結合されていない、請求項９７に記載のキット。
【請求項１１７】 異なるウェル内の各々の異なる物質が溶液の状態である、請求項９７に記載のキット。
【請求項１１８】 各ウェルが、生物学的活性をアッセイするための試薬を含む、請求項９７に記載のキット。
【請求項１１９】 ウェルの容積が１pl〜５μlである、請求項８８に記載のキット。
【請求項１２０】 ウェルの容積が１nl〜１μlである、である、請求項８８に記載のキット。
【請求項１２１】 ウェルの容積が100nl〜300nlである、請求項８８に記載のキット。
【請求項１２２】 ウェルの底部が四角形、丸形、Ｖ字形またはＵ字形である、請求項８８に記載のキット。
【請求項１２３】 生物が、ヒト、霊長類、マウス、ラット、ネコ、イヌ、ウマ、およびウシからなる群から選ばれる、９９に記載のキット。
【請求項１２４】 哺乳動物が、ヒト、霊長類、マウス、ラット、ネコ、イヌ、ウマ、およびウシからなる群から選ばれる、請求項１に記載のアレイ。
【請求項１２５】 哺乳動物が、ヒト、霊長類、マウス、ラット、ネコ、イヌ、ウマ、およびウシからなる群から選ばれる、請求項１７に記載のアレイ。
【請求項１２６】 哺乳動物が、ヒト、霊長類、マウス、ラット、ネコ、イヌ、ウマ、およびウシからなる群から選ばれる、請求項２０に記載のアレイ。
【請求項１２７】 哺乳動物がヒトである、請求項１２３に記載のキット。
【請求項１２８】 哺乳動物がヒトである、請求項１２４に記載のアレイ。
【請求項１２９】 哺乳動物がヒトである、請求項１２５に記載のアレイ。
【請求項１３０】 哺乳動物がヒトである、請求項１２６に記載のアレイ。
【請求項１３１】 哺乳動物がマウスである、請求項１２３に記載のキット。
【請求項１３２】 哺乳動物がマウスである、請求項１２４に記載のアレイ。
【請求項１３３】 哺乳動物がマウスである、請求項１２５に記載のアレイ。
【請求項１３４】 哺乳動物がマウスである、請求項１２６に記載のアレイ。
【請求項１３５】 哺乳動物がラットである、請求項１２３に記載のキット。
【請求項１３６】 哺乳動物がラットである、請求項１２４に記載のアレイ。
【請求項１３７】 哺乳動物がラットである、請求項１２５に記載のアレイ。
【請求項１３８】 哺乳動物がラットである、請求項１２６に記載のアレイ。
【請求項１３９】 複数種の異なる物質が、生物の61種の精製された活性キナーゼを含む、請求項１、１７および２０のいずれか1項に記載の位置アドレス可能なタンパク質アレイ。
【請求項１４０】 複数種の異なる物質が、生物の92種の精製された活性キナーゼを含む、請求項１、１７および２０のいずれか1項に記載の位置アドレス可能なタンパク質アレイ。
【請求項１４１】 複数種の異なる物質が、生物の110種の精製された活性キナーゼを含む、請求項１、１７および２０のいずれか1項に記載の位置アドレス可能なタンパク質アレイ。
【請求項１４２】 複数種の異なる物質が、生物の116種の精製された活性キナーゼを含む、請求項１、１７および２０のいずれか1項に記載の位置アドレス可能なタンパク質アレイ。
【請求項１４３】 複数種の異なる物質が、生物の119種の精製された活性キナーゼを含む、請求項１、１７および２０のいずれか1項に記載の位置アドレス可能なタンパク質アレイ。
【請求項１４４】 複数種の異なる物質が、生物の122種の精製された活性キナーゼを含む、請求項１、１７および２０のいずれか1項に記載の位置アドレス可能なタンパク質アレイ。
【請求項１４５】 キナーゼが酵母キナーゼである、請求項１、１７および２０のいずれか1項に記載の位置アドレス可能なアレイ。
【請求項１４６】 異なる物質が、61種の精製された活性キナーゼである、請求項１、１７および２０のいずれか1項に記載の位置アドレス可能なアレイ。
【請求項１４７】 キナーゼが、セリン／トレオニンキナーゼファミリーのメンバー、チロシンキナーゼファミリーのメンバーであり、または該キナーゼが、セリン／トレオニンキナーゼファミリーのメンバーおよびチロシンキナーゼファミリーのメンバーを含む、請求項１、１７および２０のいずれか1項に記載の位置アドレス可能なアレイ。
【請求項１４８】 機能性キナーゼドメインが、セリン／トレオニンキナーゼファミリーのメンバーの機能性キナーゼドメイン、チロシンキナーゼファミリーのメンバーの機能性キナーゼドメインであり、または、該機能性キナーゼドメインが、セリン／トレオニンキナーゼファミリーのメンバーであるキナーゼの機能性キナーゼドメインおよびチロシンキナーゼファミリーのメンバーであるキナーゼの機能性キナーゼドメインを含む、請求項１、１７および２０のいずれか1項に記載の位置アドレス可能なアレイ。
【請求項１４９】 キナーゼまたは機能性キナーゼドメインが組換えタンパク質である、請求項１、１７および２０のいずれか1項に記載の位置アドレス可能なアレイ。
【請求項１５０】 組換えタンパク質が組換え融合タンパク質である、請求項１、１７および２０のいずれか1項に記載の位置アドレス可能なアレイ。